(57)【要約】【課題】入室者が心身ともにリラックスすることができる室内空間を形成することができるリラクゼーションルームを提供することを目的としている。【解決手段】リラクゼーションルームは、少なくともルーム本体１の内周壁面を精製塩又は天然塩の溶融成形物５で覆ったリラクゼーションルームであって、前記ルーム本体１とこれを取り囲む建物躯体２との間に伝熱空間３を設け、該伝熱空間３内に設けられてなる発熱手段９と、前記溶融成形物５で覆われた内周壁面の少なくとも一壁面の外周側に配列されてなる多数の発光素子７と、前記伝熱空間３内、又は、前記ルーム本体１の内部に設けられてなる音響設備１０と、前記各発光素子７の発光を夫々制御し、且つ、前記音響設備１０を制御する制御装置１０１と、を備え、前記各発光素子７は、夫々、赤色、緑色、及び青色の３色で構成されてなるものとしている。【選択図】  図１
2009279135.tif 000002
【特許請求の範囲】
【請求項１】
少なくともルーム本体の内周壁面を精製塩又は天然塩の溶融成形物で覆ったリラクゼーションルームであって、
前記ルーム本体とこれを取り囲む建物躯体との間に伝熱空間を設け、該伝熱空間内に設けられてなる発熱手段と、
前記溶融成形物で覆われた内周壁面の少なくとも一壁面の外周側に配列されてなる多数の発光素子と、
前記伝熱空間内、又は、前記ルーム本体の内部に設けられてなる音響設備と、
前記各発光素子の発光を夫々制御し、且つ、前記音響設備を制御する制御装置と、を備え、前記各発光素子は、夫々、赤色、緑色、及び青色の３色で構成されてなるリラクゼーションルーム。
【請求項２】
前記ルーム本体の全周壁面を前記精製塩又は天然塩の溶融成形物で覆い、該溶融成形物で覆われた全周壁面の外周に前記発光素子が多数配列されてなる請求項１に記載のリラクゼーションルーム。
【請求項３】
前記精製塩又は天然塩の溶融成形物の表面がムラ状の凹凸である請求項１又は２に記載のリラクゼーションルーム。
【請求項４】
前記精製塩又は天然塩の溶融成形物は乳白色の半透明である請求項１〜３に記載のリラクゼーションルーム。
【発明の詳細な説明】
【技術分野】
【０００１】
本発明は、入室者をリラックスさせる空間を形成するリラクゼーションルームに関する。
【背景技術】
【０００２】
従来、リラックスできる施設としては、サウナを初めとして岩盤浴、エステ、温泉、銭湯等、種々の施設が提供されている。これらの施設のうち、高温サウナに比べて利用者の身体的負担が少なくリラクゼーション効果が高い低温浴施設が近年注目されている。低温浴が可能な施設の一例として岩盤浴施設があり、例えば、特許文献１には、気密性断熱性のある部屋に床暖房システムを設置すると共に、人が横たわることが出来るように岩盤をベッド状に形成して設置した技術が提案されている。また、特許文献２には、岩盤に対して、トルマリン原石を混入したり、岩盤自体に微細孔を有する構造を採用したりすることによって、岩盤浴としての効能をより向上させるような技術が提案されている。
【０００３】
【特許文献１】特開２００４‐１３００４７号公報
【特許文献２】特開２００５‐３２９０４６号公報
【発明の開示】
【発明が解決しようとする課題】
【０００４】
しかしながら、これらの岩盤浴施設は、岩盤自体に対する改良はなされているものの、岩盤浴を行う部屋を含む全体の環境には特に改良がなされていないため、入室者が心身ともにリラックスできるようなものではなかった。
【０００５】
そこで、本発明は、上記の点に鑑み、入室者が心身ともにリラックスすることができる室内空間を形成することができるリラクゼーションルームを提供することを目的としている。
【課題を解決するための手段】
【０００６】
上記目的を達成するための手段を図面の参照符号を付して示せば、請求項１の発明に係るリラクゼーションルームによれば、少なくともルーム本体１の内周壁面を精製塩又は天然塩の溶融成形物５で覆ったリラクゼーションルームであって、前記ルーム本体１とこれを取り囲む建物躯体２との間に伝熱空間３を設け、該伝熱空間３内に設けられてなる発熱手段９と、前記溶融成形物５で覆われた内周壁面の少なくとも一壁面の外周側に配列されてなる多数の発光素子７と、前記伝熱空間３内、又は、前記ルーム本体１の内部に設けられてなる音響設備１０と、前記各発光素子７の発光を夫々制御し、且つ、前記音響設備１０を制御する制御装置１０１と、を備え、前記各発光素子７は、夫々、赤色、緑色、及び青色の３色で構成されてなるものとしている。
【０００７】
請求項２の発明に係るリラクゼーションルームによれば、上記請求項１のリラクゼーションルームにおいて、前記ルーム本体１の全周壁面を前記精製塩又は天然塩の溶融成形物５で覆い、該溶融成形物５で覆われた全周壁面の外周に前記発光素子７が多数配列されてなるものとしている。
【０００８】
請求項３の発明に係るリラクゼーションルームによれば、上記請求項１又は２のリラクゼーションルームにおいて、前記精製塩又は天然塩の溶融成形物５の表面がムラ状の凹凸５ａであるものとしている。なお、ムラ状の凹凸５ａとは、不均一でなだらかな凹凸をいう。
【０００９】
請求項４の発明に係るリラクゼーションルームによれば、上記請求項１〜３のリラクゼーションルームにおいて、前記精製塩又は天然塩の溶融成形物５は乳白色の半透明であるものとしている。
【発明の効果】
【００１０】
上記解決手段による発明の効果を、後述する実施形態の参照符号を付して説明すると、請求項１の発明によれば、少なくともルーム本体１の内周壁面を精製塩又は天然塩の溶融成形物５で覆ったリラクゼーションルームであって、前記ルーム本体１とこれを取り囲む建物躯体２との間に伝熱空間３を設けており、その伝熱空間３に発熱手段９を設けている。そのため、リラクゼーションルーム内は、遠赤外線の波長をセラミックに次いで通すことができる塩で覆われているため、入室者の身体の芯を深く温め、通常のサウナよりも、新陳代謝が活性化すると共に、高い疲労回復の効果を得ることができる。
【００１１】
さらに、一個の発光素子７は、赤色、緑色、及び青色の３色で構成されているため光の三原色により、様々な色を作り出すことができる。そして、そのような多数の発光素子７の発光を制御装置１０１で制御することにより、ルーム本体１の内周壁面を覆った精製塩又は天然塩の溶融成形物５に様々な映像を映し出すことができる。さらに、音響設備１０が設けられているから、音響設備１０と共に前記各発光素子７の発光を制御装置１０１で制御することにより、癒し効果の高い映像や音楽をリラクゼーションルーム内に形成することができる。そのため、塩のサウナ効果、映像効果、及び、音楽効果により、入室者の自律神経をより良く安定化させ、心身ともにリラックスすることができる室内空間を形成することができる。そしてまた、精神疾患、発達障害、又は自閉症などの治療として使用されている色彩療法や音楽療法としても、本発明のリラクゼーションルームを使用することができる。
【００１２】
請求項２の発明によれば、リラクゼーションルーム内の全ての壁面に映像を映し出すことができるため、立体的な映像空間を形成することができ、入室者の自律神経をより安定化させるような、幻想的で効果的な映像表現を行うことができる。
【００１３】
請求項３の発明によれば、前記溶融成形物５の裏面から前記発光素子７の光を通すと、表面がムラ状の凹凸５ａになっていることから、光が分散し、プリズムに光を通したような状態となり、映像のシャープ性がなくなり、和紙に映像を投影したような映像効果が得られる。そのため、リラクゼーションルーム内に、より幻想的な映像空間を形成することができ、入室者の自律神経をより安定化させ、入室者の心身をよりリラックスさせることができる。
【００１４】
請求項４の発明によれば、前記溶融成形物５を乳白色の半透明としているから、前記溶融成形物５の裏面から照射した前記発光素子７の光を通し、さらにその光が、水彩画で描いたような滲んだ色合いとなる。そのため、リラクゼーションルーム内に、より幻想的な映像空間を形成することができ、入室者の自律神経をより安定化させ、入室者の心身をよりリラックスさせることができる。
【発明を実施するための最良の形態】
【００１５】
以下に本発明の好適な実施形態を図面に基づいて説明すると、図１は本発明の一実施形態を表す縦断面図である。図において、リラクゼーションルームは、リラクゼーションルーム本体１と、これを取り囲む建物躯体２と、リラクゼーションルーム本体１と建物躯体２との間に設けられた伝熱空間３とで構成されている。
【００１６】
リラクゼーションルーム本体１は、透明又は半透明の樹脂製からなる内装天井壁ベース４ａ、内装側壁ベース４ｂ、及び、内装床壁ベース４ｃで構成され、この内装天井壁ベース４ａ、内装側壁ベース４ｂ、及び、内装床壁ベース４ｃには、夫々、接着剤等によって精製塩又は天然塩の溶融成形物５が固定されている。そして、建物躯体２は、天井壁２ａ、側壁２ｂ、床壁２ｃが鉄筋コンクリート等によって構成されている。
【００１７】
伝熱空間３内には、発光素子取り付け部材６が設けられ、その発光素子取り付け部材６には、一定間隔で多数の発光素子５が取り付けられている。さらに、伝熱空間３内に、床壁２ｃに沿うように発泡スチロールや発泡ウレタン等の断熱材８が設けられ、側壁２ｂの略半分程度に、同様の断熱材８が設けられている。そして、その発泡スチロールや発泡ウレタン等の断熱材８を覆うように発熱手段９が設けられている。なお、図示はしないが、もちろん、リラクゼーションルーム内に入るための扉は設けられている。そして、その扉は、室内の外観を損なわないよう、室内同様、透明又は半透明の樹脂製からなるベースに精製塩又は天然塩の溶融成形物５が固定されているもので構成されている。
【００１８】
発熱手段９は面状電熱発熱体等からなるもので、内装側壁ベース４ｂ及び内装床壁ベース４ｃを介して、室内を２５℃〜１２０℃となるように、伝熱空間３内を加熱している。この発熱手段９の温度制御は、図示はしないが、室内に温度センサーを配置しておき、この温度センサーにより室内温度を計測し、室内を最適な温度に保つよう制御されている。なお、室内の温度としては、長時間無理せずリラクゼーションルーム内に居られ、さらには、人間の細胞が正常に活性化すると言われている４０．５℃とするのが好ましい。また、発熱手段としては、ボイラーから加熱水を循環供給するパイプを用いてもよく、電熱コイルを用いてもよい。
【００１９】
発光素子７は、赤色の発光素子、緑色の発光素子、及び青色の発光素子で束ねられて構成され、この３つの色で構成されている発光素子７が多数、発光素子取り付け部材６に配列されている。このように、発光素子７は、赤色、緑色、及び青色の光の三原色で構成されているため、発光素子７を発光すれば様々な色を作り出すことができる。そのため、発光素子７の光が、透明又は半透明の樹脂製からなる内装天井壁ベース４ａ、内装側壁ベース４ｂ、及び、内装床壁ベース４ｃを透過することで、精製塩又は天然塩の溶融成形物５に様々な映像を映し出すことができる。ただし、多数の発光素子７の配列は、前記溶融成形物５を、映像を表示させるモニタ又はスクリーンとしての役割を果たさせるため、前記多数の発光素子７を前記発光素子取り付け部材６に、画素的に配列させるのが好ましい。画素的に配列とは、一枚のデジタル画像を表示する場合、正方形又は長方形の画素（ピクセル）を規則正しく縦横に配列することで一枚の画像を表示させることが知られているが、この配列のように、前記溶融成形物５で覆われた壁面に一枚の画像を表示させるため、規則正しく一定間隔で、多数の発光素子７を、発光素子取り付け部材６に配列していることをいう。なお、説明するまでもないが、ここでいう一枚の画像とは、静止画のみを指すものではなく、動画を表現する際の画像をも指すものである。また、多数の発光素子７には、図示はしないが、塩害を防止するため、シリコンゴムがペースト状に設けられている。
【００２０】
音響設備１０は、伝熱空間３のコーナー部に設けられている。そのコーナー部に設けられた音響設備１０から音楽を流せば、上述した映像表現に加え、音楽表現も加わるため、入室者にとって、とても心地の良い空間を形成することができる。なお、音響設備１０から音楽を流し、発光素子７を光らす制御は、制御装置１０１で行われ、どのような音楽や、映像を作り出すかの設定は設定装置１００にて行われている。また、音響設備１０としては、スピーカ等を使用すればよい。さらに、音響設備１０としては、リラクゼーションルーム本体１内に設置することも可能である。
【００２１】
次に、リラクゼーションルームの床下の構造、つまり、内装床壁ベース４ｃと床壁１ｃとの間の伝熱空間３内の構造について図２及び図３を用いて説明すると、図２は本発明の一実施形態に係る床下の平面の一部拡大図であり、図３は本発明の一実施形態に係る床下の縦断面の一部拡大図である。図２において、リラクゼーションルームの床下は、側壁２ｂに沿うように、所要複数箇所に柱１１を設け、その柱１１に発光素子取り付け部材６が取り付けられ、その発光素子取り付け部材６には多数の発光素子７が配列されている。
【００２２】
図３において、前記柱１１に発光素子取り付け部材６を取り付けるには、発熱手段９の上面に角型鋼管１５を設け、その角型鋼管１５は、前記柱１１にボルト１４によって固定されている。そして、この角型鋼管１５と内装床壁ベース４ｃの空間にはＴ字型の支持部材１２が設けられており、内装床壁ベース４ｃを支持している。さらに、角型鋼管１５には、Ｔ字型の支持部材１２によって発泡スチロールや発泡ウレタン等の断熱材１３が固定されており、その断熱材１３の上面に発光素子取り付け部材６が固定され、その発光素子取り付け部材６には多数の発光素子７が配列されている。このような構造が床下全面に設けられている。そして、内装側壁ベース４ｂと側壁２ｂとの間の伝熱空間３内、及び、内装天井壁ベース４ａと天井壁２ａとの間の伝熱空間３内の構造は、全てこの床下の構造と同様の構造である。なお、Ｔ字型の支持部材１２は、発光素子７の光を透過させるために、透明又は半透明のポリカーボネート等の樹脂製品を用いるのが好ましい。
【００２３】
次に、精製塩又は天然塩の溶融成形物５について、図４及び図５を用いて説明すると、図４（ａ）は本発明の一実施形態を表す精製塩又は天然塩の溶融成形物の一例を示す斜視図であり、図４（ｂ）は図４（ａ）のＡ−Ａ断面図であり、図５は図１のイ部分の拡大正面図である。精製塩又は天然塩の溶融成形物５は粉末状の精製塩又は天然塩を、融点以上沸点以下の温度で加熱溶融し、その加熱溶融した精製塩又は天然塩を正六角形の皿型の成形型に流し入れ、冷却固化させて成型したものである。その冷却固化に際して、表面張力により中央部に湾曲した凹部５ｂが形成され、成形型に接触している面は、ムラ状の凹凸５ａが形成される。なお、精製塩又は天然塩の溶融成形物５は、光を透過させるため、乳白色の半透明であることが好ましい。
【００２４】
このように成型された正六角形の精製塩又は天然塩の溶融成形物５をリラクゼーションルーム本体１の室内に使用したものが図５である。このように正六角形に形成することにより、タイルのように張り合わせた時に、ハニカム構造になるため、横ずれや縦ずれが生じ難い。また、正六角形の精製塩又は天然塩の溶融成形物５をリラクゼーションルーム本体１の室内に使用する際は、ムラ状の凹凸５ａを表面として使用し、中央部に湾曲した凹部５ｂを裏面として使用する。ムラ状の凹凸５ａを表面として使用するのは、中央部に湾曲した凹部５ｂを表面として使用した場合、リラクゼーションルーム内の入室者は、湾曲した凹部５ｂがある床を歩くこととなり、床が平らでなく凹みがあるため、移動が困難であるばかりか、凹部５ｂに足を取られて転びやすく、非常に危険なためである。それに対し、ムラ状の凹凸５ａを表面として使用すれば、ムラ状の凹凸５ａは不均一でなだらかな凹凸であるため、入室者がムラ状の凹凸５ａに足を取られて転ぶということはない。また、ムラ状の凹凸５ａを表面として使用した場合、正六角形の精製塩又は天然塩の溶融成形物５の裏面から多数の発光素子７が光を照射すると、ムラ状の凹凸５ａにより光が分散し、プリズムに光を通したようになるため、映像のシャープ性がなくなり、和紙に映像を投影したような映像効果が得られるため、雰囲気のある映像効果、視覚効果を得ることができる。なお、中央部に湾曲した凹部５ｂを裏面として用いているため、内装天井壁ベース４ａ、内装側壁ベース４ｂ及び内装床壁ベース４ｃに、正六角形の精製塩又は天然塩の溶融成形物５を取り付けるにあたって、中央部に湾曲した凹部５ｂを埋めるような部材を用いた方がよい。中央部に湾曲した凹部５ｂに、応力が集中し、正六角形の精製塩又は天然塩の溶融成形物５がひび割れをおこすのを防止するためである。
【００２５】
なお、このような正六角形の精製塩又は天然塩の溶融成形物５が、リラクゼーションルーム本体１の全周内壁すべてにタイルのように張り合わされている。また、精製塩又は天然塩の溶融成形物は、成形型の形状に応じて多角形、円形等種々の形状のものを製造することが可能である。
【００２６】
次に、さらに詳しく、設定装置１００、制御装置１０１について図６及び図７を用いて説明すると、図６は、設定装置１００、制御装置１０１のブロック図で、図７は、アドレスとデータの関係を表に示した図である。
【００２７】
設定装置１００は、ＣＰＵ１００ａ、ＲＯＭ（リードオンリーメモリ）１００ｂ、ＲＡＭ（ランダムアクセスメモリ）１００ｃ、入力装置１００ｄ、及び、表示装置１００ｅから構成されている。ＲＯＭ（リードオンリーメモリ）１００ｂ内には、リラクゼーションルーム本体１の全周壁面を覆った精製塩又は天然塩の溶融成形物５に表示させる映像を設定し、且つ、音響設備１０から流す音楽を設定するためのプログラムが格納されている。このプログラムを実行するために、入力装置１００ｄから実行指令が送られるとＣＰＵ１００ａからＲＯＭ（リードオンリーメモリ）１００ｂ内に格納されているプログラムが読みだされ、そのプログラム内容が表示装置１００ｅに表示される。
【００２８】
そして、表示装置１００ｅに表示されたプログラム内容に応じて、入力装置１００ｄを使用して、音響設備１０から流す音楽を設定し、リラクゼーションルーム本体１の全周壁面を覆った精製塩又は天然塩の溶融成形物５に表示させる映像を設定し、さらに、その映像をどのタイミングで前記精製塩又は天然塩の溶融成形物５に表示させるのかを設定する。その設定された音楽データ、映像データ、及び、タイミングデータが、ＲＡＭ（ランダムアクセスメモリ）１００ｃ内に格納される。なお、音楽設定、映像設定、及びタイミング設定はどのように設定してもよいが、一般的に使用されているグラフィックユーザーインターフェースを用いた設定方法の方が好ましい。例えば、設定する映像や、音楽をあらかじめ何種類か用意しておき（もちろん、後に、映像や音楽を追加することも可能である。）、その用意しておいた映像や音楽を選択するだけで、簡単に設定できる方法である。具体的には、まず、ある音楽を選択させ、その音楽の冒頭の部分にはどの映像をリラクゼーションルーム本体１の全周壁面を覆った精製塩又は天然塩の溶融成形物５に表示させるかを選択させ、次にその音楽のさびの部分では、どの映像をリラクゼーションルーム本体１の全周壁面を覆った精製塩又は天然塩の溶融成形物５に表示させるかを選択させ、次に、その音楽の後半部分にはどの映像をリラクゼーションルーム本体１の全周壁面を覆った精製塩又は天然塩の溶融成形物５に表示させるかを選択させる。そうすることで、選択した音楽に合わせて様々な映像をリラクゼーションルーム本体１の全周壁面を覆った精製塩又は天然塩の溶融成形物５に表示させることができるため、入室者が精神的に安定するような心地よい空間を作り出すことができる。また、このリラクゼーションルームを使用する入室者の好みをあらかじめ聞いておく等しておけば、その好みに合わせて音楽や映像を設定することができ、リラクゼーションルームを使用する入室者に対して、より心地よい空間を提供することができる。
【００２９】
このように設定された音楽データ、映像データ、及び、タイミングデータを、実際にリラクゼーションルーム本体１の全周壁面を覆った精製塩又は天然塩の溶融成形物５に映像として表示させ、音響設備１０から音楽を流すために、入力装置１００ｄから実行指令が送られると、ＣＰＵ１００ａは、ＲＡＭ（ランダムアクセスメモリ）１００ｃから設定された音楽データ、映像データ、及び、タイミングデータを読み出し、そのデータを制御装置１０１に出力する。
【００３０】
制御装置１０１は、分離部１０１ａ、信号処理部１０１ｂ、タイミング処理部１０１ｃ、発光素子制御部１０１ｄ、音楽制御部１０１ｅから構成されている。分離部１０１ａは、設定装置１００から出力された音楽データ、映像データ、及び、タイミングデータを分離し、音楽データを音楽制御部１０１ｅに出力し、映像データを信号処理部１０１ｂに出力し、タイミングデータをタイミング処理部１０１ｃに出力する。
【００３１】
信号処理部１０１ｂは、分離部１０１ａから出力された映像データをアドレス部とデータ部に分離し、そのデータを発光素子制御部１０１ｄに出力する。このようなデータの分離を行うのは、伝熱空間３内に設けられている発光素子取り付け部材６に配列されている多数の発光素子７には、全てアドレス番地が割り当てられているためである。そのため、設定装置１００で設定された映像データには、アドレス部、即ち、発光素子取り付け部材６に配列されている多数の発光素子７のうち、どの箇所に設けられている発光素子７かを示すアドレス番地のデータと、データ部、即ち、その指定された場所の発光素子７をどのような色で光らせればよいかを示すデータが含まれている。そこで、信号処理部１０１ｂにて、映像データをアドレス部とデータ部に分離する。なお、このアドレス部とデータ部の関係を表したのが図７である。
【００３２】
図７より明らかなように、データ部はＲ（レッド）、Ｇ（グリーン）、Ｂ（ブルー）に分けられている。このＲ（レッド）が発光素子７の赤色の発光素子に該当し、Ｇ（グリーン）が緑色の発光素子に該当し、Ｂ（ブルー）が青色の発光素子に該当する。図において、アドレス０番地に割り当てられている発光素子７は、赤色の発光素子がデータ８‘ｈ００で、緑色の発光素子がデータ８’ｈ００で、青色の発光素子がデータ８‘ｈ００であるため、アドレス０番地に割り当てられている発光素子７の色は、黒色になる。また、アドレス１００番地に割り当てられている発光素子７は、赤色の発光素子がデータ８‘ｈＦＦで、緑色の発光素子がデータ８’ｈＦＦで、青色の発光素子がデータ８‘ｈＦＦであるため、アドレス１００番地に割り当てられている発光素子７の色は、白色になる。このようにすることで、発光素子取り付け部材６に配列されている全ての発光素子７の色を定めることが可能となる。
【００３３】
タイミング処理部１０１ｃは、分離部１０１ａから出力されたタイミングデータから、どのタイミングでリラクゼーションルーム本体１の全周壁面を覆った精製塩又は天然塩の溶融成形物５に映像を表示させるのかを示す基準信号を生成する。そして、この基準信号を発光素子制御部１０１ｄに出力する。
【００３４】
発光素子制御部１０１ｄは、信号処理部１０１ｂによって分離されたアドレス部から、
発光素子取り付け部材６に配列されている多数の発光素子７のうち、どの箇所に配列されている発光素子７であるかを解析し、データ部からその発光素子７の電流制御値を算出する。例えば、その発光素子７が、赤色の発光素子のデータが８‘ｈ００で、緑色の発光素子のデータが８’ｈ００で、青色の発光素子のデータが８‘ｈ００である場合、その発光素子７は黒色に光らせることになるため、発光素子７に電流を送らなければ、黒色を生成することができる。また、その発光素子７が、赤色の発光素子のデータが８‘ｈＦＦで、緑色の発光素子のデータが８’ｈＦＦで、青色の発光素子のデータが８‘ｈＦＦである場合、その発光素子７は白色に光らせることになるため、発光素子７の三色すべてに最大の電流を送ることで、白色を生成することができる。このように、発光素子取り付け部材６に配列されている全ての発光素子７の電流を制御することで様々な色を生成することができる。そして、発光素子７に電流を送るタイミングは、タイミング処理部１０１ｃで生成された基準信号に同期させて発光素子取り付け部材６に配列されている全ての発光素子７に電流を送ったり、送らなかったりする。そうすることで、様々な映像表現をリラクゼーションルームの室内に形成することができる。
【００３５】
音楽制御部１０１ｅは、リラクゼーションルームの室内に表示される映像とリラクゼーションルーム室内に響き渡る音楽のタイミングを合わせるため、上述した映像データの処理時間を考慮して、分離部１０１ａから出力された音楽データのタイミングを遅らせ、音響設備８に出力する。
【００３６】
以上説明した本発明の一実施形態によれば、ルーム本体１の全周壁面を精製塩又は天然塩の溶融成形物５で覆ったリラクゼーションルームであって、前記ルーム本体１とこれを取り囲む建物躯体２との間に伝熱空間３を設けており、その伝熱空間３に発熱手段９を設けている。そのため、リラクゼーションルーム内は、遠赤外線の波長をセラミックに次いで通すことができる塩で覆われているため、入室者の身体の芯を深く温め、通常のサウナよりも、新陳代謝が活性化すると共に、高い疲労回復の効果を得ることができる。
【００３７】
さらに、一個の発光素子７は、赤色、緑色、及び青色の３色で構成されているため光の三原色により、様々な色を作り出すことができる。そして、そのような多数の発光素子７の発光を制御装置１０１で制御することにより、ルーム本体１内の全壁面を覆った精製塩又は天然塩の溶融成形物５に様々な映像を映し出すことができる。さらに、音響設備１０が設けられているから、音響設備１０と共に前記各発光素子７の発光を制御装置１０１で制御することにより、癒し効果の高い映像や音楽をリラクゼーションルーム内に形成することができる。そのため、塩のサウナ効果、映像効果、及び、音楽効果により、入室者の自律神経をより良く安定化させ、心身ともにリラックスすることができる室内空間を形成することができる。そしてまた、精神疾患、発達障害、又は自閉症などの治療として使用されている色彩療法や音楽療法としても、本発明の一実施形態のリラクゼーションルームを使用することができる。
【００３８】
また、本発明の一実施形態では、リラクゼーションルーム内の全ての壁面に映像を映し出すことができるため、立体的な映像空間を形成することができ、入室者の自律神経をより安定化させるような、幻想的で効果的な映像表現を行うことができる。
【００３９】
また、前記溶融成形物５の裏面から前記発光素子７の光を通すと、表面がムラ状の凹凸５ａになっていることから、光が分散し、プリズムに光を通したような状態となり、映像のシャープ性がなくなり、和紙に映像を投影したような映像効果が得られる。そのため、リラクゼーションルーム内に、より幻想的な映像空間を形成することができ、入室者の自律神経をより安定化させ、入室者の心身をよりリラックスさせることができる。
【００４０】
また、前記溶融成形物５を乳白色の半透明としているから、前記溶融成形物５の裏面から照射された前記発光素子７の光を通し、その光が、水彩画で描いたような滲んだ色合いとなる。そのため、リラクゼーションルーム内に、より幻想的な映像空間を形成することができ、入室者の自律神経をより安定化させ、入室者の心身をよりリラックスさせることができる。
【００４１】
なお、本発明の一実施形態では、リラクゼーションルーム内の全壁面を精製塩又は天然塩の溶融成形物５で覆ったが、リラクゼーションルーム本体１の内周壁面だけを精製塩又は天然塩の溶融成形物５で覆ってもよい。
【００４２】
また、本発明の一実施形態では、リラクゼーションルーム本体１の外周を取り囲むように発光素子取り付け部材６を設け、該発光素子取り付け部材６に多数の発光素子７を配列したが、リラクゼーションルーム本体１の内周壁面だけを精製塩又は天然塩の溶融成形物５で覆った場合に、その内周壁面の少なくとも一壁面の外周に、前記発光素子５を多数配列してもよい。
【００４３】
また、本発明の他の実施形態として、内装天井壁ベース４ａに固定されている精製塩又は天然塩の溶融成形物５の厚みを薄くし、内装床壁ベース４ｃに固定されている精製塩又は天然塩の溶融成形物５の厚みを厚くすることができる。内装天井壁ベース４ａに固定されている精製塩又は天然塩の溶融成形物５の厚みが厚いと、重力によって、精製塩又は天然塩の溶融成形物５の落下の危険性があるからであり、内装床壁ベース４ｃに固定されている精製塩又は天然塩の溶融成形物５の厚みが薄いと、リラクゼーションルームの入室者の体重によって精製塩又は天然塩の溶融成形物５が割れやすくなるからである。そのため、このような事故を防止するため、内装天井壁ベース４ａに固定されている精製塩又は天然塩の溶融成形物５の厚みを薄くし、内装床壁ベース４ｃに固定されている精製塩又は天然塩の溶融成形物５の厚みを厚くすることができる。
【図面の簡単な説明】
【００４４】
【図１】本発明の一実施形態を表す縦断面図である。
【図２】本発明の一実施形態に係る床下の平面の一部拡大図である。
【図３】本発明の一実施形態に係る床下の縦断面の一部拡大図である。
【図４】（ａ）本発明の一実施形態を表す精製塩又は天然塩の溶融成形物の一例を示す斜視図である。（ｂ）は図４（ａ）のＡ−Ａ断面図である。
【図５】図１のイ部分の拡大正面図である。
【図６】本発明の一実施形態に係る設定装置、制御装置のブロック図である。
【図７】本発明の一実施形態に係る映像信号のアドレスとデータの関係を表に示した図である。
【符号の説明】
【００４５】
１          ルーム本体
２          建物躯体
３          伝熱空間
５          溶融成形物
７          発光素子
９          発熱手段
１０        音響設備
１０１      制御装置
【図１】
2009279135.tif 000003
【図２】
2009279135.tif 000004
【図３】
2009279135.tif 000005
【図４】
2009279135.tif 000006
【図５】
2009279135.tif 000007
【図６】
2009279135.tif 000008
【図７】
2009279135.tif 000009